(57)【要約】組合せレコーダーおよびプレーヤーシステム（１０）はレコーダー／プレーヤー装置（１２）およびリモート制御装置（１４）を含む。レコーダー／プレーヤー装置はレコーダー／プレーヤーコンピュータシステム（１６）およびレコーダー／プレーヤーが記録し、再生し、および焼き付けるのを可能にするように動作させるレコーダー／プレーヤーソフトウエア（３４）を含む。リモート制御装置はリモート制御コンピュータシステム（３６）およびレコーダー／プレーヤー装置を制御するために使用できるリモート制御ソフトウエア（５２）を含む。このシステムはＣＤ上の全てのオーディオをレコーダー／プレーヤー上のメモリ内に自動的にコピーし、オーディオおよびビデオ装置の複数の構成部を制御し、且つインターネットからの新しい音楽をダウンロードし且つ蓄積するために使用できる。
2006526248.tif 000002
【特許請求の範囲】
【請求項１】
コンパクトディスクドライブ、レコーダー／プレーヤーメモリ、およびコピー要求入力機構を含むレコーダー／プレーヤーコンピュータシステムと；
コンパクトディスクが前記ディスクドライブに挿入され且つユーザーが前記コピー要求入力機構を使用してコピー要求を入力する場合、前記レコーダー／プレーヤーコンピュータシステムがコンパクトディスク上に蓄積された全てのオーディオを前記レコーダー／プレーヤーメモリにコピーするように動作可能なレコーダー／プレーヤーソフトウエアと；
を具備することを特徴とする組合せコンパクトディスクレコーダーおよびプレーヤー装置。
【請求項２】
前記レコーダー／プレーヤーコンピュータシステムがさらにスピーカーシステムと；レコーダー／プレーヤー通信システムを具備し、前記レコーダー／プレーヤーソフトウエアは前記レコーダー／プレーヤーコンピュータシステムが、前記レコーダー／プレーヤー通信システムを使用して、前記レコーダー／プレーヤーコンピュータシステムにより受信されたプレイ要求に応答して、前記スピーカーシステムを使用して前記レコーダー／プレーヤーメモリに蓄積されるオーディオを再生させるように動作可能であることを特徴とする請求項１記載のレコーダー／プレーヤー装置。
【請求項３】
前記コンパクトディスクドライブがオーディオをディスクドライブに挿入された記録可能なコンパクトディスクに書き込むように動作可能であり、且つ前記レコーダー／プレーヤ−装置はコンパクトディスクが前記ディスクドライブに挿入され、バーン要求がレコーダー／プレーヤー通信システムを使用して前記レコーダー／プレーヤーシステムにより受信されると、前記レコーダー／プレーヤーコンピュータシステムが前記レコーダー／プレーヤーメモリに蓄積されたオーディオを前記記録可能なコンパクトディスクに書き込むように動作可能であることを特徴とする請求項１記載のレコーダー／プレーヤー装置。
【請求項４】
前記レコーダー／プレーヤーコンピュータシステムがさらにリモート制御装置を受信するように適合されたリモート制御ドッキングシステムを具備し、前記ドッキングシステムは前記リモート制御装置が前記ドッキングシステムに接続されると前記リモート制御装置に電力を供給し且つ充電するように動作可能であることを特徴とする請求項１記載のレコーダー／プレーヤー装置。
【請求項５】
前記レコーダー／プレーヤーコンピュータシステムがさらにインターネット通信システムを具備し、前記レコーダー／プレーヤーソフトウエアは、所定時に、前記レコーダー／プレーヤーコンピュータシステムが前記インターネット通信システムを使用して前記インターネットから前記レコーダー／プレーヤーメモリに追加のオーディを自動的にダウンロードすることを特徴とする請求項１記載のレコーダー／プレーヤー装置。
【請求項６】
前記レコーダー／プレーヤーコンピュータシステムがさらにインターネット通信システムを具備し、前記レコーダー／プレーヤーソフトウエアは、所定時に、インターネット通信システムを使用して前記レコーダー／プレーヤーコンピュータシステムにインターネットを介して放送されている音楽のためのプログラムガイドを前記レコーダー／プレーヤーメモリに自動的にダウンロードさせることを特徴とする請求項１記載のレコーダー／プレーヤー装置。
【請求項７】
前記レコーダー／プレーヤーコンピュータシステムがさらにインターネット通信システムを具備し、前記レコーダー／プレーヤーソフトウエアは、所定時に、インターネットを使用して、歌がインターネット通信システムを使用して加入サービスに対して前記システムにより再生される回数に関する情報を送信するように動作可能であることを特徴とする請求項１記載のレコーダー／プレーヤー装置。
【請求項８】
前記レコーダー／プレーヤーコンピュータシステムが入出力装置とリモート制御通信システムを含むリモート制御装置を含み、前記入出力装置は前記コピー要求入力機構を含み；
前記レコーダー／プレーヤーソフトウエアは前記入出力装置を使用して前記制御装置が、前記リモート制御装置に入力されるコピー要求に応答して、前記通信システムを使用して前記レコーダー／プレーヤーコンピュータシステムにコピー要求を送信するように動作可能なリモート制御ソフトウエアを含むことを特徴とする請求項１記載のレコーダー／プレーヤー装置。
【請求項９】
前記リモート制御ソフトウエアはさらに前記リモート制御装置が、前記入出力装置を使用して前記リモート制御装置に入力されたプレイ表示要求に応答して、前記入出力装置を使用して前記レコーダー／プレーヤーシステムに蓄積された各々が付随のプレイボタンを含む歌のリストを表示し；且つユーザーが前記歌に付随するプレイボタンを押すと、通信システムを使用して前記レコーダー／プレーヤーコンピュータシステムにプレイ要求を送信し、前記プレイ要求は前記レコーダー／プレーヤーコンピュータシステムが前記ユーザーにより押された前記プレイボタンに付随する歌を再生させる情報を含むように動作可能なことを特徴とする請求項８記載のレコーダー／プレーヤー装置。
【請求項１０】
前記リモート制御ソフトウエアはさらに前記リモート制御装置が、前記入出力装置を使用して前記リモート制御装置に入力されたバーン表示要求に応答して、前記入出力装置を使用して前記レコーダー／プレーヤーシステムに蓄積された各々が付随のプレイボタンを含む歌のリストを表示し；且つユーザーが前記歌に付随するバーンボタンを押すと、通信システムを使用して前記レコーダー／プレーヤーコンピュータシステムにバーン要求を送信し、前記バーン要求は前記レコーダー／プレーヤーコンピュータシステムが前記コンパクトディスクドライブに挿入された記録可能なコンパクトディスク上に前記ユーザーにより押された前記バーンボタンに付随する歌を焼き付ける情報を含むように動作可能なことを特徴とする請求項８記載のレコーダー／プレーヤー装置。
【発明の詳細な説明】
【技術分野】
【０００１】
本発明は全般的にコンパクトディスク（ＣＤ）レコーダーおよびプレーヤーに関する。特に、本発明は組合せＣＤレコーダーおよびプレーヤーシステムに関する。
【背景技術】
【０００２】
多くの消費者は多くのＣＤを含む音楽のコレクションを持っている。ＣＤは当技術でよく知られている多くの利点を有するが、ＣＤの大コレクションはいくつかの欠点を有する。まず、大規模ＣＤコレクション内の特定のＣＤを見つけることは時間を消費する。多くの場合、消費者は所望のＣＤを見つけるために全コレクションを調べなければならない。コレクションが大規模になればなるほど、このプロセスはより時間を消費する作業となる。ＣＤをアルファベット順にまとめると特定のＣＤを見つけるために必要な時間を最小にすることができるが、多くの消費者はそのようなことは行わない。さらに、大規模なＣＤコレクションをアルファベット順にまとめ、維持する工程は時間のかかる作業である。大規模なＣＤコレクションの中からＣＤを突き止めるために必要な時間を減少させるシステムを求める需要がある。
【発明の開示】
【発明が解決しようとする課題】
【０００３】
同様に、大規模なＣＤコレクション内の特定のＣＤ上の特定の歌を突き止めることは時間のかかる作業である。所望の歌を含むＣＤを見つけるためにかかる時間に加えて、消費者は所望の歌を見つけるためにＣＤ上の歌を探索しなければならない。多くの場合、消費者は所望の歌の番号を突き止めるためＣＤに付随するＣＤの表面又はＣＤのケースを調べるか、ＣＤを再生するために使用されているＣＤプレーヤーにその番号を入力しなければならない。正しい番号を入力するため、消費者は通常所望の歌に到達するためいくつかの歌をザーッと目を通さなければならない。複数のＣＤを保持するＣＤプレーヤーを使用する場合、消費者は所望の歌を含むＣＤに到達するため複数のＣＤを読み飛ばさなければならない。消費者が単一のＣＤ又は複数のＣＤを保持するＣＤプレーヤーを使用しているかどうかにかかわらず、ＣＤ上の特定の歌を突き止める工程は時間を消費する。このように、大規模なＣＤコレクション内の特定のＣＤにアクセスするために必要とされる時間を減少させるシステムを求めるための要望がある。
【０００４】
大規模ＣＤ音楽コレクションは複数のロケーションでアクセスすることは困難である。そうするために、消費者が物理的にコレクションをあるロケーションから他のロケーションに移動させなければならない。これは時間を消費し不便なプロセスである。コレクションが大きくなればなるほど、より時間を消費し、不都合である。さらに、ある場合には、大きなＣＤコレクションを特定のロケーション（場所）に動かすことはまったく実用的でない。例えば、通常、大きなＣＤコレクションを小型自動車に移すことは実用的でない。しかしながら、多くの消費者は他の場所と同様に自動車内でこれらの音楽コレクションをアクセスしたいと思う。このように、消費者が複数のロケーションで大きなＣＤ音楽コレクションをアクセスするのを可能にするシステムを求める要望がある。
【０００５】
検索するために且つ再生するために時間を消費することに加えて、ＣＤは他の欠点を有する。例えば、ＣＤケースに収められたＣＤを再生するため、消費者はケースからＣＤを取り出し、ＣＤプレーヤーに挿入されなければならない。消費者がそうする場合、消費者はＣＤの表面に触れ、油をつけたり、ごみをつけるかもしれない。もしそのようなことが起これば、ＣＤはプレーヤー内でスキップし、又は、ある場合には、まったく再生しない。このように、消費者がＣＤ上に油で又はゴミを付け、適切に再生するのを妨げるリスクを減少し又は除去するシステムを求める要望がある。
【０００６】
通常、ＣＤは消費者が聴きたい歌および聴きたくない歌を含んでいる。多くの場合、消費者が楽しむ歌は消費者が喜ばない歌と混ざっている。その結果、消費者は彼らが楽しまない歌を聴くか、またはこれらの歌を飛び越えて楽しむ歌に到達しなければならない。どちらの場合も、消費者にとって不便である。そこで、消費者が楽しまない歌を聴くこと無しに又は飛び越さないで、彼らが好む歌を聴かせるシステムを求める要望がある。
【０００７】
他の場合において、消費者が楽しむ歌は複数の異なるＣＤに見つけられ、もし彼らが楽しみたい歌を聴きたければ、異なる場所に移動する場合、消費者はこれらの全てのＣＤを携帯しなければならない。これも消費者にとって不便である。このように、消費者に異なるＣＤを携帯させずに、消費者に種々の異なるＣＤに見つかる好みの歌を聴かせるシステムを求める要望がある。
【０００８】
上記のＣＤプレーヤーに付随する不便に加えて、従来のＣＤプレーヤーは通常多くの消費者にとって美的にアピールしない黒又は銀色の容器を含んでいる。そこで、消費者により多くの美的に魅力的であり、上記の欠点に打勝つＣＤプレーヤーシステムを求める要望がある。
【０００９】
従来のＣＤプレーヤーは通常ＣＤプレーヤーに付随する種々の機能を制御するために使用できるリモート制御装置を含んでいる。リモート制御装置はこれらのＣＤプレーヤーを制御するためにより便利にするが、家庭でのリモート制御装置の数を増やし、電子機器の任意の構成のための適切なリモート装置を見つけるのを難しくする。例えば、多くの人はＴＶ、ＶＣＲ、ＤＶＤプレーヤーおよびステレオシステム用のリモート制御装置を持っている。従来技術のＣＤプレーヤーに別のリモート装置を含むことにより、家庭でのリモート制御装置の数が増加する。結果として、ＴＶ、ＶＣＲ、またはＤＶＤプレーヤー用の正しいリモート装置を見つけるのがより困難である。このように、上述の不便を克服し、家庭のリモート装置の数を増やさず好ましくは減らせるシステムを求める要望がある。
【００１０】
ＣＤ上の新しい音楽を獲得することは時間を要し、消費者にとって不便な作業である。多くの場合、消費者は車で店に出かけ、得られるＣＤを調べ、１つ又は複数のＣＤを選択し、選択したＣＤを購入する。消費者は選んだＣＤを聴くために家に戻る。これは、特に、消費者がＣＤ店から非常に遠方である場合、消費者にとって時間を消費し、不便である。このように、要求される時間を減少し、消費者が新ミュージックを購入するのをより便利にするシステムを求める要望がある。
【００１１】
必要なことは従来技術における上記に参照された欠点を克服するシステムである。
【課題を解決するための手段】
【００１２】
したがって、本発明の一目的は大規模なＣＤコレクション内のＣＤを検索するために要求される時間を減少させるシステムを提供することである。
【００１３】
本発明の他の目的は特定のＣＤ内の特定の歌を検索するために要求される時間を減少させるシステムを提供することである。
【００１４】
本発明の第３の目的は消費者が複数のロケーションから大規模なＣＤコレクションにより容易にアクセスするのを可能にするシステムを提供することである。
【００１５】
第４の目的は消費者がＣＤに油又はゴミを付着させる可能性を減少又は除去するシステムを提供することである。
【００１６】
本発明のさらに他の目的は消費者が、楽しまない歌を聴くことなしに又は飛び越すことなく、歌を聴くのを可能にするシステムを提供することである。
【００１７】
第６の目的は消費者が、異なる複数のＣＤを携帯することなく、複数の異なるＣＤで検索される楽しむ曲を聴くのを可能にするシステムを提供することである。
【００１８】
本発明の第７の目的はより美的に魅力的な容器を含み、且つ従来技術のＣＤプレーヤーおよびＣＤに付随する上述の問題を克服するシステムを提供することである。
【００１９】
さらに他の目的は家庭でのリモート制御装置の数を減らすシステムを提供することである。
【００２０】
本発明の第９の目的は時間を減少させ、消費者が新しい音楽を購入し又は聴くのをより便利にするシステムを提供することである。
【００２１】
以下の記載から明らかになるこれらの目的および他の目的は組合せＣＤレコーダーおよびプレーヤーシステムの本発明により満足される。システムはクライアント／サーバーコンピュータシステムであり、サーバーコンピュータシステム又はホストコンピュータとして作用する組合せレコーダーおよびプレーヤー装置、およびクライアントコンピュータシステムとして作用するリモート制御装置を含む。リモート制御装置はホストコンピュータ用のリモート制御システム又は単にクライアントシステムと称される。レコーダー／プレーヤー装置はレコーダー／プレーヤーソフトウエアと称される新規なサーバーコンピュータソフトウエアを含み、このリモート制御装置は新規なクライアントソフトウエア又はリモート制御ソフトウエアを含む。
【００２２】
ＣＤ又は特定のＣＤ上の歌を検索するために要求される時間を減少させるため、システムは単一のボタンを押すことにより消費者が全てのＣＤをシステムにコピー（複写）するのを可能にし、消費者が特定のＣＤ又は特定の歌をすばやく且つ容易に検索し且つ再生するのを可能にする新規なユーザーインターフェースを提供する。ＣＤをシステム上にコピーすることにより、消費者は自分のＣＤを取り扱わなければならない回数を減少でき、結果として、油又はゴミで汚染される可能性を減少できる。さらに、一旦ＣＤがシステムにコピーされると、それらは保護ＣＤケースに戻され、将来の使用のために保管される。これは更にＣＤが油又はゴミで汚染される可能性を減少する。
【００２３】
消費者が複数のロケーションのＣＤコレクションをアクセスできるために、システムは消費者が自身の選択した歌を含む新しいＣＤを作成即ち“バーン（焼き付ける）”ことを可能にする。一旦新しいＣＤが作成されると、消費者は種々の異なる場所に携帯できる。消費者が選択する歌を含むＣＤを焼き付ける能力は消費者に消費者が聴きたい歌のみを含むＣＤを作成する能力を提供する。これは消費者が好まない歌を聴いたり、または飛び越したりするのを回避するのを可能にする。さらに、これは消費者が異なるＣＤに含まれる歌を聴くために複数のＣＤを携帯することを防止する。本発明のシステムを使用することにより、消費者は全ての所望の歌を含む新しいＣＤを単に焼き付け且つ代わりに新しいＣＤを携帯できる。
【００２４】
複数のロケーションのＣＤにアクセスするための消費者の能力をさらに高めるために、システムはＣＤを消費者により異なるロケーションに携帯でき且つ記録されたＣＤを再生できるリモート制御装置に記録するために使用できる。システムはリモート制御装置に蓄積されたＣＤに関し、且つＣＤのタイトル、アーチストの名前、および特定の歌のタイトルを含む完全な情報を表示する。
【００２５】
もし消費者が自分のＣＤを聴きたく、本発明のシステムのある範囲内であれば、システムは、クライアントシステム上の音楽、即ち、ストリーミングオーディオを永久に蓄積することなく、クライアントシステム上の音楽を無線又は他の従来の手段により送信し再生するために使用できる。
【００２６】
組合せレコーダーおよびプレーヤー装置の外観を高めるために、筐体は従来のジュークボックスに見えるように設計され、ＣＤを従来の方法で再生するために使用できる、アニメの気泡管、回転カラー柱、および顕示ＣＤ変更機構を含む。
【００２７】
家庭内のリモート制御装置の数を減らすため、リモート制御装置は種々の他のオーディオおよびビデオコンポーネントを制御するために使用できる。そうすることにより、システムは典型的な家庭で見つかるオーディオおよびビデオコンポーネントを制御するために必要な情報を蓄積するメモリを含み、システムはこれらの装置を制御するためのこの情報を使用する。システムはクライアントシステムが異なる部屋の異なるコンポーネントの制御を可能にする蓄積情報に使用される。さらに、クライアントシステムは他のリモート装置と通信し、他の装置を制御するために必要な情報を確認できる。プログラミングを容易にするため、クライアントシステムは従来のコンピュータに接続でき、新規なプログラミングモジュールはクライアントシステムをプログラムするために使用でき、種々の他のオーディオおよびビデオコンポーネントと通信できる。プログラミングモジュールは、本発明のクライアントシステムを使用して、グラフィックスおよびリモート制御構成を他の消費者と交換するために使用できる。消費者のための利便性を更に高めるために、システムは家庭内の装置と通信するためには家庭の低電源配線を使用する制御装置の型であるＸ−１０技術を使用して照明、電気器具、および他の装置を制御するために使用できる。
【００２８】
新しい音楽を聴き且つ購入するために必要な時間を減少するため、システムはインターネットを使用して新しい歌と通信し且つダウンロードするために動作可能である。種々のアーチストやレコード会社は消費者がインターネット上で無料の新生アーチストにより作成された歌や他のマテリアルにアクセスすることを可能にし、本発明のシステムは消費者がこれらの機会を利用するのを可能にする。
【００２９】
新しい音楽を聴き且つ再生するためのユーザーの能力を更に高めるために、本発明は新しい音楽を聴き且つダウンロードするため本発明の組合せレコーダーおよびプレーヤー装置により使用できる新規な音楽サーバーコンピュータシステムを含む。新規なサーバーは音楽を蓄積するためのデータベースと、インターネットを介して放送中に蓄積された音楽を複数の組合せレコーダーおよびプレーヤー装置に同時に流すために使用できるストリーミングオーディオサーバープログラムを含んでいる。加入者料金と引き換えに、ユーザーは放送を聴き、ユーザーが好みの歌を聴く場合、その歌を組合せレコーダーおよびプレーヤー装置にダウンロードできる。加入者料金は消費者に音楽放送に関する詳細情報およびケーブル、衛星、およびローカル局のローカル放送をカバーし且つ充分なプログラム説明および論評を含むＴＶプログラムガイドを含むプログラムガイドへのアクセス権を与える。
【００３０】
音楽が組合せレコーダーおよびプレーヤー装置にダウンロードされると音楽サーバーに蓄積された音楽のレコーディングアーチストが適切な著作権料を受取るのを確実にするため、各装置は歌が音楽サーバーからダウンロードされ、ＣＤに焼き付けられ、又は付随のリモート制御装置にコピーされた回数に関する情報を監視し且つ蓄積するために動作可能である。さらに、各装置は、所定の時期に、この情報を音楽サーバーコンピュータに自動的に送信するために動作可能であり、レコーディングアーチストの適切な実施料を計算するために使用できる。これらの実施料は組合せレコーダーおよびプレーヤー装置の種々のユーザーにより支払われた加入者料金を使用して支払いできる。
【００３１】
音楽サーバー上の音楽が適切な加入者料金を不払いしているユーザーおよび本発明の組合せレコーダーおよびプレーヤー装置によりダウンロードされないことを確実にするために、音楽サーバーのデータベースは音楽サーバーからの音楽を聴き且つダウンロードするために認可される全ての組合せレコーダーおよびプレーヤー装置の独自の認識番号および所有者情報のリストを蓄積する。独自の認識番号の一つを含まない従来のパソコンのような他の装置は音楽サーバーにアクセスできず、音楽サーバーからの音楽を聴くことができず又はダウンロードできない。
【００３２】
組合せレコーダーおよびプレーヤー装置上にダウンロードされた音楽の不適切なコピーに関してセキュリティをさらに高めるため、音楽サーバーは独自の認識番号をこれらの装置にダウンロードされた各歌に貼り付けている。各装置はＣＤに焼き付けられ又はリモート制御装置に送信される各歌と共にその独自の認識番号を含む。結果として、もし歌がある焼き付けられたＣＤ又は他の手段を介してインターネット上に不適切に配信されると、本発明の音楽サーバーは歌を最初に受信した組合せレコーダーおよびプレーヤー装置を特定するために使用できる。これは、問題の歌の認識番号を音楽サーバーに蓄積された独自の認識番号のリストと単に比較し、歌を受信した組合せレコーダーおよびプレーヤー装置の所有者を特定するため一致する独自の認識番号に付随する所有者情報を使用することにより実施される。
【００３３】
音楽サーバーからダウンロードされ、ＣＤ上に焼き付けられた音楽をパソコンにコピーされるのを防止するため、各組合せレコーダーおよびプレーヤー装置は当技術で知られる種々のパソコンコピー防止技術の一つを使用してＣＤを焼き付けるように動作可能である。例えば、ＣＤはＣＤ上のオーディオがパソコンに典型的に見られるＣＤ−ＲＯＭドライブから隠されるように焼き付けられ、または、変形例として、ＣＤはオーディオがエラーを含んでおり、クリック音およびポップ音が焼き付けられたＣＤのコピーに現れる。結果として、パソコンは本発明の組合せレコーダーおよびプレーヤー装置により焼き付けられたＣＤをコピーできない。
【００３４】
本発明が従来のオフラインショップからＣＤの購入を継続する消費者の要望を排除する可能性を減らすため、音楽サーバーにより提供されたストリーミングオーディオはＣＤ上のデジタルオーディオ録音の品質に劣るＭＰ３のような圧縮オーディオフォーマットで供給される。このように、ユーザーは本発明のシステムを使用して新しい音楽を容易に聴きダウンロードできるが、非常に高い品質の音楽録音を得るために従来の店舗からＣＤを購入することがまだ必要であろう。
【発明を実施するための最良の形態】
【００３５】
図１−図３および図９を参照すると、組合せコンパクトディスク（ＣＤ）レコーダーおよびプレーヤーシステム１０の本発明の一実施例は組合せＣＤレコーダーおよびプレーヤー装置１２およびリモート制御装置１４を含んでいる。レコーダー／プレーヤー装置１２はレコーダー／プレーヤー中央処理装置（ＣＰＵ）システム１８、レコーダー／プレーヤー通信システム２０、ＣＤドライブ２２、レコーダー／プレーヤーメモリ２４、レコーダー／プレーヤースピーカーシステム２６、コピー要求入力機構２８、レコーダー／プレーヤーインターネット通信システム３０、リモート制御ドッキングシステム３２、およびＸ−１０制御システム５０を有するレコーダー／プレーヤーコンピュータシステム１６を含んでいる。レコーダー／プレーヤー装置１２はさらに装置１２を制御するために使用される新規なレコーダー／プレーヤーソフトウエア３４を含む。リモート制御装置１４はリモート制御ＣＰＵシステム３８、リモート制御通信システム４０、リモート制御メモリ４２、リモート制御スピーカーシステム４４、入出力装置４６、赤外線システム４８、リモート制御インターネット通信システム４７、およびＸ−１０制御システム５０を有するリモート制御コンピュータシステム３６を含む。リモート制御装置１４は装置１４を制御するために使用される新規なリモート制御ソフトウエア５２を含む。
【００３６】
レコーダー／プレーヤー装置１２
レコーダー／プレーヤーＣＰＵシステム１８は従来のコンピュータＣＰＵシステムであり、レコーダー／プレーヤーソフトウエア３４から受信された命令を実行するために動作可能である。図４を参照すると、ＣＰＵシステム１８は中央処理装置（ＣＰＵ）５４、ファン５６、マザーボード５８、ＲＯＭ６０、ＲＡＭ６２、ＰＣ電源６４、およびオペレーティングシステム６６を含む。ＣＰＵ５４、ファン５６、マザーボード５８、電源６４、およびオペレーティングシステム６６の型は用途に依存して変化する。例えば、一実施例において、オペレーティングシステム６６はウインドウズＸＰホームエディションオペレーティングシステムである。他のオペレーティングシステムも同様に使用できる。さらに、ＲＯＭ６０およびＲＡＭ６２の量は用途に依存して変化する。したがって、種々の異なるコンポーネントはＣＰＵシステム１８に使用できる。ＣＰＵシステム１８で使用するためのコンポーネントの選択は当業者の能力内で充分であり、さらに詳細には述べられない。どんなコンポーネントを使用するかどうかにかかわらず、しかしながら、ＣＰＵシステム１８はレコーダー／プレーヤーソフトウエア３４から受信されたどの命令も実行できなければならない。
【００３７】
一実施例において、組合せレコーダーおよびプレーヤー装置１２は２ＧＨｚで動作するインテルペンティアム（登録商標）４プロセッサ、フロントファイヤーワイヤ１３９４およびＵＳＢ２．０インターフェース、ＰＣの２５６バイト、２１００（２６６ＭＨｚ）ＤＤＲ（ダブルデータレート）メモリを含むシャットルＸＰＣＳＢ５１Ｇミニベアボーンシステムを含む。さらに、装置１２はインテグレーテッドサベージグラフィックスカード、５．１チャンネルオーディオ、および１０／１００ローカルエリアネットワーク（ＬＡＮ）ネットワークカードを含む。５．１チャンネルオーディオカードはＲｅａｌｔｅｋ  ＡＣＬ６５００サウンドカードであり、１０／１００ＬＡＮネットワークカードはＲｅａｌｔｅｋ８１００Ｂネットワークカードである。システムは２００ワットの電力を有するアルミシャーシおよびシャトルＩ．Ｃ．Ｅ．ヒートパイプ冷却システムを含む。
【００３８】
レコーダー／プレーヤー通信システム２０は装置１２およびリモート制御装置１４が互いに通信するのを可能にする無線通信システムである。一実施例において、通信システム２０はＩＥＥＥ８０２．１１ｂ無線ネットワーク標準にしたがって動作する。したがって、通信システム２０は８０２．１１ｂカードとその関連ソフトウエアを含む。変形実施例において、通信システム２０は８０２．１１ｂ無線ネットワーク標準、“ブルートゥース”標準、又は任意の他の標準又は専用無線技術にしたがって動作する。本発明の好ましい実施例において、８０２．１１ｂ通信システム上のリモート制御装置１４は装置１２用の専用ユーザーインターフェースである。
【００３９】
ＣＤドライブ２２は、非圧縮および圧縮オーディオフォーマットを含む、種々のフォーマットでコンパクトディスクに書き込むために動作可能である。ＣＤドライブ２２は従来のオーディオＣＤからのデジタルオーディオを読み取れ、従来のデータＣＤからの．ｗａｖおよび．ｍｐ３を読み込める。類似の方法において、ＣＤドライブ２２は従来のＣＤオーディオフォーマットでデジタルオーディオをオーディオＣＤに書き込め、．ｗａｖファイルと．ｍｐ３ファイルをデータＣＤに書き込める。一実施例において、ＣＤドライブ２２はインテグレーテッドドライブエレクトロニクス（ＩＤＥ）／ＡＴアタッチメントパケットインターフェース（ＡＴＡＰＩ）ＣＤレコーダブルドライブである。他の実施例において、ＣＤドライブ２２は３２Ｘ１２Ｘ４０Ｘ１２ＤＶＤおよびＣＤＲＷ組合せドライブである。
【００４０】
レコーダー／プレーヤーメモリ２４は、オリジナルＣＤオーディオフォーマット、．ｗａｖファイル、．ｍｐ３ファイル、又は他の従来のオーディオフォーマットを含む、種々の非圧縮および圧縮オーディオフォーマットでデジタルオーディオファイルを蓄積するために動作可能である。一実施例において、メモリ２４は８０ギガバイトＩＤＥ／Ｕｌｔｒａダイレクトメモリアクセス（ＵＤＭＡ）ハードドライブである。他の実施例において、メモリ２４は８０ギガバイトＵｌｔｒａＡＴＡ／１００／７２００ＲＰＭハードドライブであり、装置１２に予めロードされた多数のＣＤからのデジタルオーディオを含む。メモリシステムは当技術でよく知られ、種々の異なる型のメモリの１つは同様に使用できる。
【００４１】
レコーダー／プレーヤーメモリ２４はオーディオおよびビデオ装置の複数の従来の構成を制御するために使用できる情報を蓄積するために動作可能である。例えば、ほとんどのＴＶ、ＶＣＲ、ＤＶＤプレーヤー、および従来のＣＤプレーヤーは赤外線制御信号を使用して遠隔制御できる。レコーダー／プレーヤーメモリ２４は赤外線システム４８を使用してこれらの制御信号を発生するために使用すべきリモート制御装置１４に必要な情報を含む。この情報は、必要に応じて、レコーダー／プレーヤーメモリ２４からリモート制御メモリ４２に転送でき、適切な制御信号を発生するためリモート制御ソフトウエア５２により使用できる。
【００４２】
レコーダー／プレーヤーメモリ２４はさらに家の装置のロケーションに基いてオーディオ又はビデオ装置を特定する情報を蓄積するために動作可能である。したがって、レコーダー／プレーヤーメモリ２４は家の１つ又は複数の部屋に配置されたオーディオ又はビデオ装置を特定する情報およびこれらのコンポーネントを制御するために必要な情報を含む。さらに、この情報は、必要に応じて、リモート制御メモリ４２に転送され、適切な制御信号を発生するためにリモート制御ソフトウエア５２により使用できる。
【００４３】
レコーダー／プレーヤースピーカーシステム２６は装置１２により出力されるオーディオを再生するために動作可能であり、２個の低レンジスピーカー、２個の高レンジスピーカー、２個のスピーカー容器、およびスピーカー容器内の内部オーディオ増幅器を含んでいる。スピーカーシステム２６はさらにデジタル信号処理チップとデジタル／アナログ変換器を有するサウンドカードを含んでいる。サウンドカードはメモリ２４またはＣＤドライブ２２からのデジタルオーディオをアナログオーディオに変換するために使用され、アナログオーディオはスピーカーシステム２６内のスピーカーにより出力される。サウンドカードはＣＰＵシステム１８のマザーボード５８上に集積でき、又は個別のカードである。サウンドカードは当技術でよく知られ、これらの装置のいずれもが本発明のシステムと共に使用できる。例えば、一実施例において、サウンドカードは当技術で知られるサベージグラフィックスサウンドカードである。
【００４４】
レコーダー／プレーヤースピーカーシステム２６はレコーダー／プレーヤー装置１２から遠隔的に検索される追加のスピーカーを含めることができる。これらのリモートスピーカーは、従来のスピーカーワイヤ、無線接続を含む従来の手段を使用して、または、本発明の出願人により開発されたＭａＧＩＣ通信技術を使用して、レコーダー／プレーヤー装置１２に接続できる。メディアアクセレレイテッドグローバル情報キャリアを意味する、ＭａＧＩＣ、は本出願の譲渡人であるギブソン・ギター・コーポレーションにより開発されたオープンアーキテクチャデジタル接続システムである。ＭａＧＩＣシステムの動作は２００２年１月２２日付けでありメディアアクセレレイテッドグローバル情報キャリア、工業規格、２．４版と表題された工業規格に詳細に記載されている。この規格に含まれる開示はこの明細書では参照のために記載されている。この規格は以下のウエブアドレス、ｈｔｔｐ：／／ｍａｇｉｃ．ｇｉｂｓｏｎ．ｃｏｍ／ｓｐｅｃｉｆｉｃａｔｉｏｎ．ｈｔｍｌ、でアクセスできる。さらに、ＭａＧＩＣシステムは２００２年３月５日にジャズキーウィクツ（Ｊｕｓｚｋｉｅｗｉｃｚ）らに発行され、「ユニバーサル通信および制御システムおよび方法」と表題された米国特許第６，３５３，１６９号に詳細に記載されている。‘１６９特許の開示はこの明細書に参照のため引用されている。
【００４５】
コピー要求入力機構２８はユーザーがコピー命令を装置１２に入力できるように動作可能である。一実施例において、機構２８は単に従来のプッシュボタンである。種々の他の機構も同様に使用できる。例えば、機構２８はスタイラスを使用してユーザーにより押圧できる電子“コピー”ボタンを表示する装置１２内に集積されたタッチセンシティブ表示装置である。
【００４６】
レコーダー／プレーヤーインターネット通信システム３０は装置１２がインターネットで通信できるように動作する。インターネット通信システムは当技術でよく知られ、これらのシステムのいずれも使用できる。従来のインターネット通信システムは、特に、付随するソフトウエアを有するモデム、ケーブルモデムとその付随ソフトウエア、又は付随するソフトウエアを有するＤＳＬモデムを含んでいる。インターネット通信システム３０は装置１２が無線技術を使用してインターネットと通信するのを可能にするハードウエアとソフトウエアを含む。
【００４７】
リモート制御ドッキングシステム３２はリモート制御装置１４をレコーダー／プレーヤー装置１２に接続するために使用される。リモート制御装置１４が装置１２に接続されると、ドッキングシステム３２が電力をリモート制御装置１４に供給し、装置１４がその電池を保存するのを可能にする。ドッキングシステム３２はリモート制御装置１４内の電池を充電するために必要なコンポーネントを含み、装置１４がドッキングシステム３２に挿入されるとき充電するように動作可能である。ドッキングシステム３２はリモート制御装置１４用のスペア電池を充電するために使用できる。一実施例において、リモート制御ドッキングシステム３２は電源ＤＣコネクタおよび１４４０ＭＡＨおよび３４００ＭＡＨ電池を充電するための電池充電スロットを有するデルＡｘｉｕｍ  Ｘ５パーソナルデジタルアシスタント（ＰＤＡ）である。
【００４８】
Ｘ−１０制御システム５０は家庭で典型的に見かける照明および電気製品を制御するために使用できる制御信号を発生するために動作可能である。Ｘ−１０システム５０は照明と他の電気器具を制御するため家庭の既存の１１０ボルト電気配線を使用している。システム５０は１１０ボルト配線でコード化された低電圧信号を送る送信器と、１００ボルト電源に差し込まれ、コード化された低電圧信号を受ける受信器を含む。受信機は、しかしながら、適切なアドレスを含む信号のみに応答するように設計される。換言すると、各受信器は独自のアドレスを有し、そのアドレスを含む信号のみに応答する。最高２５６の異なるアドレスがこのシステムで使用できる。Ｘ−１０技術は当技術で既知であり、この技術に関する詳細な情報はインターネットに閲覧できる。例えば、Ｘ−１０技術に関する詳細情報および製品は、カリフォルニア州９２６０６−５０２５、アービン、１６５４２ミリカンアヴェニューにある、ホームオートメーションに特化している、スマートホーム・インコーポレーテッド（Ｓｍａｒｔｈｏｍｅ  Ｉｎｃ．）で得られる。
【００４９】
レコーダー／プレーヤーソフトウエア３４はレコーダー／プレーヤーコンピュータシステム１６が従来のオーディオＣＤからレコーダー／プレーヤーメモリ２４へデジタルオーディオを記録し、従来のオーディオＣＤおよびメモリ２４からのデジタルオーディオを再生し、且つメモリ２４内に蓄積されたオーディオを使用して新しいＣＤを作成即ち“焼き付ける”ように動作可能である。ソフトウエア３４はコンピュータシステム１６が従来のデータＣＤからメモリ２４に．ｗａｖおよび．ｍｐ３ファイルに記録するように動作可能である。ソフトウエア３４はＣ＋＋で記載されるが、種々の他の従来のプログラミング言語で記載できる。
【００５０】
ソフトウエア３４はさらに通信システム１６が、所定の時期に．ｗａｖ、．ｍｐ３、又は他の従来のフォーマットの追加のデジタルオーディオ、インターネット上の音楽放送用のプログラムガイド、およびケーブル、衛星、ローカル局のローカル放送用のＴＶガイドをメモリ２４に自動的にダウンロードするように動作可能である。音楽放送は最新のヒット作と同様により古い音楽コンテンツも含む。プログラムガイドは前もって１週間分のインターネットを介して“放送される”歌に関する情報を含む。ＴＶガイドは推薦、完全なプログラムの説明、および解説を含んでいる。一実施例において、ＴＶガイドプログラムは指定されたケーブルＴＶチャンネルに現れるスクローリングＴＶプログラムガイドと類似しており、顧客にプログラミング情報を提供するため、コムキャスト（Ｃｏｍｃａｓｔ）のような、多くのケーブル会社により使用される。音楽プログラムガイドは同様な方法で且つ作用する。
【００５１】
ソフトウエア３４はさらに歌が装置１２により再生される回数を自動的に監視し、且つ、所定の時期に、インターネットを使用してこの情報を加入者サービスに自動的に送信するために動作可能である。加入者サービスに送信された情報は歌がレコーダー／プレーヤー装置１２により記録可能なＣＤにコピーされた回数又は歌が装置１２に付随するリモート制御装置１４にコピーされた回数に関する情報を含んでも良い。ソフトウエア３４はＣＤドライブに挿入された記録可能なＣＤ又は装置１２に付随するリモート制御装置１４以外の装置に歌をコピーするのを防止するように動作可能である。最後に、ソフトウエア３４は装置がインターネットを使用してレコーダー／プレーヤー装置１２に蓄積されたオーディオにアクセスするのを防止するように動作可能である。
【００５２】
ＣＤを記録し、再生し、および焼き付けるための種々の機能を実行するため、ソフトウエア３４は種々のモジュールを含む。第１モジュールは従来のオーディオＣＤからデジタルオーディオを引っ張り、且つそれをメモリ２４に蓄積できるＣＤオーディオ“リッパー”モジュールである。リッパーモジュールはデジタルオーディオを．ｗａｖファイル、．ｍｐ３ファイル、又は他の従来のオーディオフォーマットとして蓄積できる。一実施例において、リッパーモジュールはオーディオＣＤからのオーディオを読取るため標準ウインドウズＸＰウインドウズメディア９アクティブ−Ｘ制御を使用する。オーディオＣＤからリッピングされたオーディオを読み取り且つ蓄積するための種々の他の技術があり、これらの技術のいずれも同様に使用できる。
【００５３】
第２モジュールは従来のＣＤおよびメモリ２４からのデジタルオーディオを再生できるバーチャルＣＤモジュールとして称されるＣＤプレーヤーモジュールである。バーチャルプレーヤーモジュールはデジタルオーディオを再生するためのオーディオエンジンにより使用され、限定されたトランスポート制御を提供するため且つ歌の限定されたヒストリーを維持するためストリームドインターネット又は補助入力のようなリアルタイムソースに使用されるサーキュラーバッファを含んでいる。このモジュールは高品質、試聴高速早送り／巻き戻し特性を提供するためＭＰ３ソースと共に使用される。第２モジュールは上記に参照されたウインドウズＸＰオペレーティングシステムと共に含まれるダイレクト−Ｘプレイエンジンを含む。このプレイエンジンはバーチャルプレーヤーから透過的にオーディオをアクセスする。
【００５４】
第３モジュール、ＣＤバーナーモジュールはメモリ２４に蓄積されたオーディオを使用して新しいＣＤを焼き付けるために動作可能である。ＣＤバーナーモジュールは．ｗａｖおよび．ｍｐ３フォーマットを含む複数の従来のフォーマットでＣＤを焼き付けることができる。一実施例において、ＣＤバーナーモジュールはオーディオＣＤを焼き付けるため標準ＸＰイメージマスタリング応用プログラミングインターフェース（ＩＭＡＰＩ）ソフトウエアデベロップメントキット（ＳＤＫ）を使用する。変形実施例において、他のバーナーモジュールを同様に使用できる。ＣＤモジュールバーナーは当技術で知られる種々のパソコンコピー防止技術の一つを使用してＣＤを焼き付けるために動作可能であるので、パソコンによりコピーできない。一実施例において、ＣＤは焼き付けられ、オーディオファイルはパソコンのＣＤ―ＲＯＭドライブにより見られず、コピーできない。他の実施例において、ＣＤは焼き付けられ、焼かれたＣＤ上のオーディオはエラーを含みクリック音やポップ音が焼かれたＣＤのコピーに現れる。いくつかの会社はコピー防止システムを提供し、これらのシステムに関する詳細情報がインターネット上で見つけられる。例えば、マクロビジョン、ソニー、およびサンコンはすべてこのようなシステムを提供しており、これらの会社に関する情報はインターネット上で入手できる。
【００５５】
ソフトウエア３４はさらにＭＰ３エンコーダーモジュール、ＭＰ３デコーダーモジュール、およびデータベースモジュールを含む。ＭＰ３エンコーダーモジュールは．ｍｐ３ファイルフォーマットで従来のオーディオＣＤからのデジタルオーディオを圧縮するように動作可能であり、ＭＰ３デコーダーモジュールは．ｍｐ３ファイルフォーマットで圧縮されたデジタルオーディオを解凍するように動作可能である。一実施例において、“Ｂｌａｄｅ”として知られる公に入手できるコードライブラリを使用して、ＭＰ３エンコーダーモジュールはＣＤフォーマットＰＣＭオーディオのストリームを１２８−２５６ＢＰＳムービングピクチャエクスパートグループ（ＭＰＥＧ）フォーマット圧縮オーディオにエンコードする。変形実施例において、他の型の既知の圧縮技術も同様に使用できる。この実施例において、ＭＰ３デコーダーモジュールはＭＰＥＧ３フォーマット圧縮オーディオのストリームをデコードし、ＣＤフォーマットＰＣＭオーディオ、即ち、ＭＰ３エンコーダーの逆数に変換する。
【００５６】
データベースモジュールはデジタルオーディオをデータベースとしてメモリ２４内に蓄積するために使用される。データベースは複数のインデックスを含み、オーディオを蓄積するため標準Ｂツリー技術を使用する。アクセスＩＢＭＤＢ２のようなデータベースモジュールが当技術でよく知られ、これらのデータベースモジュールのいずれもが同様に使用できる。
【００５７】
ソフトウエア３４はインターネットで情報の既知のデータベースをアクセスすることによりＣＤの名前およびＣＤの歌を検索するために動作可能であるＣＤＤＢモジュールを含む。カリフォルニア州、バークレイのグレイスノートと呼ばれている会社がこのデータベースを保持している。ＣＤの名前と歌はメモリ２４内の内部データベースに蓄積できる。この場合、ＣＤＤＢモジュールは所望の情報を獲得するためにこのデータベースをアクセスする。
【００５８】
装置１２はいくつかの異なるモードで動作できる。自動コピーモードと称される第１モードにおいて、オーディオＣＤ又はデータＣＤがＣＤドライブ２２に挿入されると、装置１２はデジタルオーディオ、．ｗａｖおよび．ｍｐ３ファイルをレコーダー／プレーヤーメモリ２４に自動的にコピーする。ワンボタンコピーモードと称される第２モードにおいて、ユーザーがコピー要求入力機構２８を使用してコピーモードを装置１２に入力された後、装置１２はコピー情報のみをレコーダー／プレーヤーメモリ２４にコピーする。
【００５９】
第２モードにおいて、この例の従来のプッシュボタン又はスイッチであるコピー要求入力機構２８は、プッシュボタンを押すことにより、消費者により、ＣＤドライブ２２に挿入された従来のオーディオＣＤ（図示せず）をレコーダー／プレーヤーメモリ２４に自動的にコピーするために使用される。ボタン２８が押されると、レコーダー／プレーヤーソフトウエア３４はＣＤ上に蓄積されたデジタルオーディオをメモリ２４にコピーさせる。デフォルト設定により、コンピュータシステム１６は非圧縮フォーマットで全てのデジタルオーディオを格納する。例えば、一実施例において、コンピュータシステム１６は従来のウエーブファイルフォーマットの、すなわち、．ｗａｖファイル拡張子を有するＣＤからデジタルオーディオを格納する。デフォルト設定は要望どおりに変更できるので、装置１２は同様に他の従来のフォーマットのデジタルオーディオを格納できる。例えば、デフォルト設定はデジタルオーディオが従来のＭＰ３ファイルフォーマットのような圧縮フォーマットで格納されるように変更できる。リモート制御装置１４は装置１２のためのデフォルト設定を変更するために使用され、この処理はリモート制御装置１４の詳細な考察に関連して以下に詳細に説明される。
【００６０】
コピー要求入力機構２８は従来のデータＣＤから．ｗａｖファイルおよび．ｍｐ３ファイルを自動的にコピーするために使用できる。もし従来のデータＣＤがＣＤドライブ２２に置かれ、コピーボタン２８が押されると、リモート／プレーヤーソフトウエア３４により、レコーダー／プレーヤーコンピュータシステム１６がＣＤ上のファイルをメモリ２４にコピーする。もしファイルが．ｗａｖファイルであると、コンピュータシステム１６はメモリ２４内のファイルを．ｗａｖファイルとして格納する。もしファイルが．ｍｐ３ファイルであると、システム１６はメモリ２４内のファイルを．ｍｐ３ファイルとして格納する。再度、これは装置１２のためのデフォルト設定であり、この設定は変更できる。例えば、デフォルト設定は変更できるので、メモリ２４に蓄積される前に、．ｗａｖファイルは．ｍｐ３フォーマットに自動的に圧縮される。
【００６１】
前述したように、レコーダー／プレーヤーコンピュータシステム１６は、再度レコーダー／プレーヤーソフトウエア３４の制御の基で、従来のオーディオＣＤを再生するために動作可能である。ＣＤのコピーの場合と同様に、装置１２はＣＤを２つの異なるモードで再生できる。自動プレイモードにおいて、装置１２はＣＤドライブ２２に挿入されるＣＤを自動的に再生する。装置１２は装置１２がリモート制御装置１４から以下により詳細に記載されたプレイ命令が受信されるまでＣＤドライブ２２に挿入されたＣＤを再生しないようにセットアップできる。さらに、装置１２はレコーダー／プレーヤーメモリ２４に全てのデジタルオーディオを自動的にコピーし、ＣＤの再生を開始するするようにセットアップできる。これらの特徴の全てはリモート制御装置１４を使用して調整できる。
【００６２】
ＣＤを焼き付けるため、ユーザーは装置１２にバーン命令を入力するため、以下により詳細に記載された方法で、リモート制御装置１４を使用する。バーン命令はＣＤ上に焼き付けされるべき歌およびバーニング工程中に使用されるべきフォーマットを特定する情報を含んでいる。フォーマットのためのデフォルト設定は圧縮ＭＰ３である。この設定はリモート制御装置１４を使用して変更できるが、コンピュータシステム１６は基の非圧縮デジタルオーディオＣＤフォーマットで焼き付けることができる。
【００６３】
レコーダー／プレーヤー装置１２の外観をより魅力的にするため、装置１２の筐体は旧式なジュークボックスに見られる特徴を含んでいる。例えば、筐体はアニメ化された気泡管、変化するカラー柱、顕示ＣＤ変換機構、従来のジュークボックスに典型的に見られる従来の入力ボタン、ＣＤのリストおよびこれらのＣＤ上の歌を含む複数のページ、又はこのような装置に典型的に含まれる他の種々のジュークボックスの何れかを含む。例えば、装置１２はＷｕｒｌｉｔｚｅｒ型１０１５ジュークボックスの特徴を模倣するように構成できる。装置１２の筐体の一実施例の全般的な図面は図９に示される。
【００６４】
リモート制御装置１４
リモート制御ＣＰＵシステム３８は、レコーダー／プレーヤーＣＰＵシステム１８に類似した、従来のコンピュータＣＰＵシステムであり、リモート制御システム５２から受信された命令を実行するために動作可能である。図５を参照すると、ＣＰＵシステム３８はＣＰＵ６８、ＲＯＭ７０、ＲＡＭ７２、マザーボード７４、オペレーティングシステム７６、および電池７８を含む。レコーダー／プレーヤーＣＰＵシステム１８の場合と同様に、これらのコンポーネントは用途しだいで変更できる。一実施例において、例えば、リモート制御装置１４は従来のパーソナル・デジタル・アシスタント（ＰＤＡ）、デル・コーポレーションで製造されたデルＡｘｉｕｍ  Ｘ５である。Ａｘｉｕｍ  Ｘ５は４００ＭＨｚ又は３００ＭＨｚで動作するインテルＸＳＣＡＬＥプロセッサ、ＣＤＲＡＭの３２メガバイト又は６４メガバイト、およびフラッシュＲｏｍの３２又は４８メガバイトを含むことができる。ＡｘｉｕｍはマイクロソフトポケットＰＣ２００２プレミアムエディションオペレーティングシステム、インターネットエクスプローラ、取り外し可能なリチウムイオン電池、および追加の高容量リチウムイオン電池を含んでいる。ＡｘｉｕｍＸ５は更にステレオヘッドホンコネクタ、および赤外線信号を出力するための赤外線データアソシエイト（ｉｒＤＡ）ポート、およびネットワーク用又はワイヤレス・フィディリティ（ＷｉＦｉ）アクティビティ用のオプション８０２．１１ｂ無線コンパクトフラッシュ（登録商標）（ＣＦ）カードを含む。Ａｘｉｕｍは内蔵マイクロホンおよびスピーカーシステムを含んでいる。
【００６５】
リモート制御通信システム４０は詳細に前述されたレコーダー／プレーヤー通信システム２０と同一である。このように、システム４０は装置１２とリモート制御装置１４が８０２．１１ｂ無線ネットワーキング標準を使用して互いに通信するのを可能にする無線システムである。ＰＤＡがリモート制御装置１４に使用される場合、リモート制御通信システム４０は上述のようにＰＤＡに集積される。
【００６６】
リモート制御インターネット通信システム４７は詳細に前述されたレコーダー／プレーヤーインターネット通信システム３０と同一である。これにより、装置１４がインターネットと通信するのを可能にし、通信システム４７は装置１４が無線技術を使用してインターネットと通信するのを可能にするハードウエアとソフトウエアを含む。リモート制御通信システム４０の場合と同様に、リモート制御インターネット通信システム４７がＰＤＡに集積可能である。
【００６７】
リモート制御メモリ４２は．ｗａｖ、．ｍｐ３、および他の従来のオーディオフォーマットでデジタルオーディオを蓄積できる。一実施例において、メモリ４２は６４ＭＢのＳＤＲＡＭである。要求されたメモリ量は用途しだいで変化し、リモート制御装置１４に蓄積すべきデジタルオーディオの量に依存する。メモリシステムは当技術でよく知られており、種々の異なるメモリの型が同様に使用される。前述されたように、リモート制御メモリ４２はオーディオおよびビデオ装置の複数の従来の構成を制御するために使用される情報、家屋内の１つ又は複数の部屋に設置されたオーディオおよびビデオ装置を特定する情報、およびこれらのコンポーネントを制御するために必要な情報を蓄積できる。
【００６８】
リモート制御スピーカーシステム４４がメモリ４２内に蓄積されたオーディオまたはレコーダー／プレーヤー装置１２から受信されたストリーミングオーディオを再生するために動作可能である。一実施例において、スピーカーシステム４４は従来のヘッドホンコンポーネントを含み、従来のヘッドホンを使用してオーディオを聴くために使用できる。他の実施例において、スピーカーシステム４４はデルＡｘｉｕｍ  Ｘ５  ＰＤＡに見られるスピーカーシステムである。装置１２のスピーカーシステム２６の場合と同様に、スピーカーシステム４４はデジタルオーディオをアナログオーディオに変換するサウンドカードを含み、スピーカーシステム２６により再生できる。
【００６９】
入出力装置４６は種々のメニューをユーザーに表示し、ユーザーがコピー命令、プレイ命令、又はバーン命令のような種々の命令を入力するように動作可能である。一実施例において、入出力装置４６は３２０ｘ２４０ピクセル解像度を有する３．５インチタッチセンシティブ、フルカラー、トランスフレクティブディスプレイである。変形実施例において、他の型の入出力装置が使用できる。
【００７０】
赤外線システム４８は赤外線制御信号を発生するために動作可能であり、典型的な家庭で見かけるオーディオおよびビデオ装置の種々の従来の構成を制御するために使用できる。例えば、赤外線システム４８は、リモート制御ソフトウエア５２に関連して、従来のＴＶ、ステレオＤＶＤプレーヤー、およびＶＣＲプレーヤーを制御するために使用できる。ＰＤＡはより古い従来のＴＶおよびオーディオ／ビデオリモート制御システムと異なる赤外線通信プロトコルを使用し、本発明の赤外線システム４８は適切な赤外線通信プロトコルを使用するために適合される。変形実施例において、赤外線システム４８はＰＤＡの赤外線システムを変更することを可能にする当技術で知られた商業用の市販コンポーネントを含み、従来のＴＶおよび他のオーディオビデオ装置を制御するために使用できる。
【００７１】
リモート制御ソフトウエア５２は、ユーザーにより、装置１２上のメモリ２４に又は装置１４上のメモリ４２にＣＤをコピーするため、ＣＤドライブ２２、メモリ４２、又はメモリ２４内のＣＤ上のデジタルオーディオを再生するため、且つＣＤドライブを使用してＣＤを焼き付けるために使用できる。ユーザーがこれらの種々の機能を実施するのを可能にするため、ソフトウエア５２はユーザーがこれらの機能を実施するための命令を入力するのを可能にする一連の画面又はメニューを発生する。例えば、一実施例において、ソフトウエア５２は図１０−図１２に示される画面を発生する。図１０に示される画面はＣＤからの歌をレコーダー／プレーヤー装置１２にコピーするため、又は、ＣＤ上の歌を再生するための要求を入力するために使用でき、図１２に示される画面はレコーダー／プレーヤー装置１２からの歌をコピーし又は“焼き付ける”ために使用できる。図１１は歌がＣＤからレコーダー／プレーヤー装置１２にコピーされている時に表示される画面を含んでいる。
【００７２】
出願人はソフトウエア５２が特定の用途に依存する種々の異なる画面を発生するためにプログラムできることを意図している。したがって、変形実施例において、ソフトウエア５２は“コピーオーディオ”ボタン、“プレイオーディオ”ボタン、および“バーンオーディオ”ボタンを含む入出力装置４６上に主メニューを発生する。
【００７３】
“コピーオーディオ”ボタンが押されると、ソフトウエアは“レコーダー／プレーヤーにオーディオをコピー”を読み取る第１ボタンと、“リモート制御にオーディオをコピー”を読み取る第２ボタンを含む第２画面を表示する。第１ボタンがスタイラスを使用してユーザーにより押されると、ソフトウエア５２はＣＤドライブ内のＣＤからのデジタルオーディオがメモリ２４にコピーされることを要求するレコーダー／プレーヤー装置１２にコピー命令を送信する。それに応じて、レコーダー／プレーヤーソフトウエア３４はＣＤドライブ２２内のＣＤのすべてのオーディオをメモリ２４にコピーする。第２ボタンが押されると、ソフトウエア５２が２つのボタンを含む画面を表示する。一方のボタンが“ＣＤからのオーディオをコピー”を読取り、他方のボタンが“レコーダー／プレーヤーメモリからのオーディオをコピー”を読み取る。“ＣＤからのオーディオをコピー”ボタンが押されると、ソフトウエア５２はＣＤドライブ２２内のＣＤ上のデジタルオーディオがリモート制御メモリ４２にコピーされることを要求する装置１２にコピー命令を送信する。それに応じて、レコーダー／プレーヤーソフトウエア３４がＣＤからのオーディオをコピーし、装置１４に送信し、リモート制御ソフトウエア５２によりリモート制御メモリ２４にコピーされる。“レコーダー／プレーヤーメモリからのオーディオをコピー”ボタンが押されると、ソフトウエア５２はレコーダー／プレーヤーメモリ２４に蓄積されたオーディオがリモート制御メモリ４２にコピーされることを要求する装置１２にコピー命令を送信する。それに応じて、レコーダー／プレーヤーソフトウエア３４はレコーダー／プレーヤーメモリ２４から装置１４にオーディオを送信し、リモート制御ソフトウエア５２はオーディオをリモート制御メモリ４２にコピーする。
【００７４】
どちらかのコピーボタンが押されると、“．ｗａｖフォーマット”ボタンおよび“．ｍｐ３フォーマット”ボタンを含む、いくつかのフォーマッティングボタンを含むフォーマット画面が表示される。ユーザーは所望のフォーマットを選択し、したがって、ソフトウエア５２はオーディオを蓄積する。もしＭＰ３のような圧縮フォーマットが選択されると、ソフトウエア５２はオーディオを圧縮するためにＭＰ３エンコーダーモジュールを使用する。さらに、どちらかのコピーボタンが押されると、ソフトウエア５２はユーザーがソフトウエア５２によりコピーされるべき歌を選択するのを可能にする一連の画面を表示する。
【００７５】
“プレイオーディオ”ボタンが押されると、ソフトウエア５２は“ＣＤドライブ内のＣＤを再生”ボタン、“レコーダー／プレーヤーに蓄積されたオーディオを再生”ボタン、および“リモート制御装置に蓄積されたオーディオを再生”ボタンを含む画面を表示する。第１の２つのボタンのどちらかが押されると、ソフトウエア５２はプレイ命令を装置１２に送信し、レコーダー／プレーヤーソフトウエア３６は適切なオーディオを再生する。プレイ命令はＣＤからのオーディオ又はメモリ内のオーディオが再生されるべきことを示す情報を含む。デフォルト設定により、もしＣＤ又はレコーダー／プレーヤーメモリ２４からのオーディオが選択されると、ソフトウエア５２はレコーダー／プレーヤースピーカーシステム２６を使用してオーディオを再生する。もしリモート装置に蓄積されたオーディオが選択されると、ソフトウエア５２はリモート制御スピーカーシステム４４を使用してオーディオを再生する。
【００７６】
どのボタンが押されたかにかかわらず、ソフトウエア５２はユーザーが再生されるべきオーディオを選択するのを可能にする一連の画面を表示する。一実施例において、画面は従来のジュークボックスに典型的に含まれる情報を含み、例えば、ＣＤは関連番号、例えば、「４６」を有し、ＣＤ上の歌は第１の歌のための関連番号、「４６」、第２の歌のための関連番号、「０２」、等を有する。特定のＣＤの特定の歌を選択するために、ユーザーは入出力装置に表示された番号ボタンを使用して、所望のＣＤ数および歌番号を単に入力する。
【００７７】
“バーンオーディオ”ボタンが押されると、リモート制御ソフトウエア５２はバーン命令をレコーダー／プレーヤーソフトウエア３４に送信する。バーン命令に応答して、レコーダー／プレーヤーソフトウエア３４はＣＤドライブ２２内のＣＤ上にオーディオを焼き付ける。コピー命令の場合と同様に、ソフトウエア５２はユーザーがバーニング工程の所望のフォーマットを特定することを可能にするフォーマット画面を表示する。ＣＤをオリジナルのＣＤフォーマット、．ｗａｖフォーマット、又は．ｍｐ３フォーマットで焼き付けることができる。さらに、ユーザーは所望の歌の選択を可能にする一連の画面を使用することにより焼き付けられる歌を選択できる。プレイ命令の場合と同様に、一実施例において、画面は従来のジュークボックスに典型的に含まれる情報を含み、例えば、ＣＤは関連番号、例えば、「４６」を有し、ＣＤ上の歌は、例えば、第１の歌では関連番号「０１」、第２の歌では「０２」、等を有する。ＣＤを焼き付けるために特定の歌を選択するために、ユーザーは、入出力装置に表示された番号ボタンを使用して、所望のＣＤ番号および歌番号を単に入力する。
【００７８】
インターネットに基く音楽配信サービス
上述の通り、レコーダー／プレーヤー装置１２はインターネット通信システム３０を介してオーディオを受信し且つ記録するように構成される。レコーダー／プレーヤー装置１２は多くの異なるビジネスモデルが、従来のテレビジョンセット又はパソコンのような非専用受信機を使用して達成できるビジネスモデルに比べて、多くの異なるビジネスモデルが追随するのを可能にするオーディオを受信するための独自のシステムを提供する。
【００７９】
各レコーダー／プレーヤー装置１２を独自に特定するシステムと組み合わせた専用のハードウエアの使用により、ハードウエアのおよび関連する音楽サービスの経営者が全システムを独自に管理するための独占保護構想で構成するのを可能にする。これはこれまでインターネットに基くダウンロードサービスの満足な達成を妨げた多くの重要なビジネス上の問題を解決する。
【００８０】
成功するインターネットに基く音楽サービスを達成するためのビジネスの見地から対処しなければならない主たる問題はコンパクトディスクレコードを製作するレコード会社に属する著作権を有する音楽コンテンツを保護し、レコード会社に満足する方法でこの音楽コンテンツの利用での実施料を追跡し、報告し、且つ支払うことである。これはバーニングＣＤにより作られる追加のコピーのための根本的著作権保有者に対する“機械的実施料”の追跡および支払いを含み、ＢＭＩおよびＡＳＣＡＰのような上演権団体に対する上演実施料の追跡および支払いを含んでいる。
【００８１】
このコピー防止の他の態様は、記録されたＣＤが再生可能な形態で継続して複写できないように、レコーダー／プレーヤー装置１２により記録可能なＣＤ上に焼き付けられたデジタルオーディオをエンコードすることにより提供される。上述のように、コピー防止はオーディオを焼き付けることを含むいくつもの方法で実行される。それにより、オーディオはパソコンＣＤドライブから隠され、コピーされず、又は、ＣＤにおいて、クリック音やポップ音が焼き付けられたＣＤのコピーに現れるエラーを含み、使用可能なＣＤの製作を防止する。
【００８２】
関連する問題はコピー防止機構がレコーダー／プレーヤー装置１２により提供されるものは何でも解読するハッカーにより何らかの形で実行される非認可コピーのソースを追跡しおよび特定するための能力を提供することである。不認可の音楽の追跡は音楽を記録する特定のレコーダー／プレーヤー装置１２に付随する独自の認識番号で記録に“透かしを入れること”により後述される音楽サーバーシステムにより達成されるので、もしその後に不認可のコピーが配信されると、それらの発信源がこの独自の認識番号のチェックにより特定できる。レコーダー／プレーヤー装置１２のユーザーのプライバシーは音楽サーバーシステムのオペレーターがレコーダー／プレーヤー装置認識番号および付随する所有者の名前、アドレス等のデータベースを維持し、顧客によるライセンスされたコンテンツの悪用の適切な提示で顧客認識番号のみの流布を制御できるように提供される。
【００８３】
レコード会社の主な関心の更なる他の問題はＣＤの販売の侵食を最小にすることである。これは、小売レコード店で販売されたＣＤフォーマットの非圧縮ファイルと対照的に、オーディオを．ｍｐ３のような圧縮低下品質フォーマットでのみ送信することにより後述のシステムで達成される。結果として、プレーヤー／レコーダー装置１２によりインターネット音楽サービスを介して受信され、これらのプレーヤー／レコーダー装置１２によりＣＤ上に焼き付けられ、および／又はその後レコーダー／プレーヤー装置１２上に又は携帯リモート制御装置１４上のメモリに格納された音楽は小売レコード店で購入される従来のＣＤ上に含まれる音楽より低品質である。
【００８４】
レコーダー／プレーヤー装置１２の設置されたベースと組み合わせて後述の音楽サーバーシステムは効果的に民間放送ラジオに置換できるが、レコード会社に製作され且つ従来のレコード店で販売されるＣＤに見られる最高品質デジタル記録音楽の供給と最終的に置換できないシステムを効果的に提供する。
【００８５】
本発明はそのオペレーターが複数のラジオ局放送に似た音楽コンテンツの複数のチャンネルを放送するのを可能にする。但し、放送はインターネットを介して行われ、専用のプレーヤー／レコーダー装置１２の一つを所有し且つ適切な月額および利用料金の支払い後に現在許可されている顧客により受信できる。
【００８６】
プレーヤー／レコーダー装置１２の一つを所有している各加入者は受信した音楽コンテンツの自身の利用料を請求され、全てのユーザーの集合的利用はインターネットに基く音楽サービスシステムのオペレーターによりレコード会社に対する決済と共にレコード会社に報告される。各顧客の情報は、レコーダー／プレーヤー装置１２により受信され且つ蓄積された記録音楽に埋め込まれた独自の認識番号により追跡できる、音楽コンテンツの悪用の提示に際してレコード会社又は他のコンテンツ提供者にのみ提供される。
【００８７】
上述のシステムを提供することにより、レコード会社は自身のビジネスモデルの保護を確信でき、後述のインターネットに基く音楽サーバーシステム上での配信のための音楽コンテンツの使用にライセンスを与えるためレコード会社に動機を与える。当業者により理解されるように、大手レコード会社の契約上の協力がないと、どのオペレーターも顧客が希望するコンテンツを有するインターネットに基く音楽サーバーシステムを合法的に提供することが不可能である。
【００８８】
図６−図８を参照すると、本発明はインターネット上で複数の組合せレコーダーおよびプレーヤー装置１２に接続できる新規な音楽サーバーコンピュータシステム１００を含んでいる。音楽サーバー１００は音楽サーバーＣＰＵシステム１０２、音楽サーバーインターネット通信システム１０４、音楽サーバーメモリ１０６、音楽サーバー入出力部１０８、および音楽サーバーソフトウエア１１０を含んでいる。
【００８９】
音楽サーバーＣＰＵシステム１０２は当技術でよく知られている従来のサーバーＣＰＵシステムであり、種々の機能を実行するため命令およびデータを所有するように動作可能である。ＣＰＵシステム１０２は中央処理装置（ＣＰＵ）、  ＲＯＭ、ＲＡＭ、およびオペレーティングシステムを含む。当技術でよく知られているように、ＣＰＵおよびオペレーティングシステムは用途に依存して変更できる。同様な方法で、音楽サーバー１００で使用されるＲＯＭ、ＲＡＭの量も同様に変更可能である。
【００９０】
音楽サーバーインターネット通信システム１０４は音楽サーバー１００がインターネットを通信するように動作可能である。インターネット通信システムは当技術でよく知られ、これらのシステムのいずれも使用できる。従来のインターネット通信システムは、特に、関連のソフトウエアを有するモデム、ケーブルモデムとその関連ソフトウエア、又はその関連のソフトウエアを有するＤＳＬモデムを含む。本発明のインターネット通信システム１０４はケーブルモデムを有し、音楽サーバー１００が無線技術を利用してインターネットと通信するのを可能にするハードウエアおよびソフトウエアを含む。
【００９１】
音楽サーバーメモリ１０６は既知の．ｍｐ３ファイルフォーマットを含む種々の圧縮オーディオフォーマットでデジタルオーディオファイルを蓄積するように動作可能である。好ましい実施例において、オーディオファイルは．ｍｐ３ファイルとして蓄積できるが、オーディオファイルは既知の．ｗａｖ３ファイルフォーマットのような非圧縮オーディオフォーマットを含む他の従来のフォーマットで同様に蓄積できる。メモリシステムは当技術でよく知られ、メモリの種々の異なる型の１つも同様に使用できる。例えば、音楽サーバーメモリ１０６は単にいくつかの用途でのハードドライブシステムでも良い。
【００９２】
図８を参照すると、音楽サーバーメモリ１０６は音楽データベース１１２、認可装置データベース１１４、音楽利用データベース１１６、レコーディングアーチストロイヤリティ（著作料）データベース１１８、およびＴＶプログラムガイドデータベース１２０を含む。音楽データベース１１２は音楽サーバー１００を使用して複数の装置１２に送信できるデジタルオーディオを含む。好ましい実施例において、デジタルオーディオは．ｍｐ３圧縮オーディオフォーマットで蓄積され且つ放送される。音楽データベース１１２は現在放送されているデジタル音楽放送および音楽サーバー１００により放送されている過去および将来のデジタル音楽放送の日時に関する情報を含むプログラムガイドを含む。
【００９３】
認可装置データベース１１４はデジタル音楽放送を受信するために認可された組合せレコーダーおよびプレーヤー装置１２に関する情報を含む。この情報は、各認可された装置１２のための所有者の名前、アドレス、電話番号、請求書送付先等のような、独自の装置情報番号および所有権認識番号を含む。独自の認識番号が用途ごとに変更できる。一般的に、しかしながら、この番号は番号に関係する装置１２を独自に特定するために充分な情報を含み、同時に、非認可ユーザーにより決定するのを困難にする。そのようなものとして、英数字のいくつかの組合せを含み、ある場合には、大文字と小文字を区別する。例えば、一実施例において、独自の認識番号はＧＧＣ９８４２０１ａＳ２１ＢＤであり、ＧＧＣはギブソン・ギター・コーポレーションが装置を所有することを示し、種々のランダムな、ケースセンシティブ英数字の挿入により非認可のユーザーが認識番号を決定するのを困難にする。認可装置データベース１１４に蓄積された情報もインターネット上の認可装置の場所を特定する情報を含み、装置のためのインターネットプロトコル（ＩＰ）アドレスおよびインターネットドメインを含む。
【００９４】
音楽利用データベース１１６は歌が音楽サーバー１００から装置１２にダウンロードされた回数に関する情報を含む。このデータベースは音楽サーバー１００からダウンロードされる各歌の名前を特定する情報、ダウンロードされた歌が装置１２によりコンパクトディスク（ＣＤ）にコピーされる回数、およびダウンロードされた歌がリモート制御装置１４にコピーされる回数を含んでいる。データベースは音楽がレコーダー／プレーヤー装置１２又はリモート装置１４により再生される回数に関する利用情報を含む。この情報はレコーダー／プレーヤー装置１２により追跡され、音楽サーバーコンピュータシステム１００に周期的に且つ自動的に返送信される。
【００９５】
レコーディングアーチストロイヤリティデータベース１１８は、レコーディングアーチスト、または、音楽データベース１１２内に蓄積された歌を所有する人又は団体に関する情報を含み、この音楽データベースはレコーディングアーチストの名前とアドレス、および音楽サーバー１００に蓄積された歌のダウンロードに支払われるべき実施料を含んでいる。ローヤリティデータベース１１８は各アーチストの実施料を支払うべき場所を特定する情報を含んでいる。この情報は銀行経路および口座番号を含み、音楽サーバー１００上の歌を有する種々のアーチストに対する実施料の支払いを自動的に送信するために使用される。
【００９６】
ＴＶプログラムガイドデータベース１２０はケーブル、衛星、およびローカル局上のプログラミングに関する情報を含む。当技術でよく知られるように、このプログラミングは場所毎に変更できる。したがって、その件での米国又は外国の種々の領域に関する情報はデータベース１２０内に格納できる。プログラミングに関する情報は同様に変更できるが、一般的に、プログラムが放送される日時、完全なプログラムの記載、種々のプログラムの解説、および種々のプログラムに関する推薦を含んでいる。
【００９７】
音楽サーバー入出力部１０８は従来の入出力装置を含み、音楽サーバー１００から情報を入出力するように動作可能である。一実施例において、音楽サーバー入出力部１０８は従来のキーボード、マウス、および視覚表示装置を含む。入出力部１０８は用途毎に変化し、他の従来の入出力装置を含んでいる。
【００９８】
音楽サーバーソフトウエア１１０は音楽サーバー１００が、所定の時期、音楽サーバーインターネット通信システム１０４を使用して音楽データベース１１２から装置１２にストリーミング音楽を送信するように動作可能である。例えば、音楽サーバーソフトウエア１１０はストリーミング音楽を日毎、週毎、又は月毎に送信するように構成できる。音楽サーバーソフトウエア１１０は同様に連続的にストリーミング音楽を送信するように構成できる。
【００９９】
オーディオは、ストリーミングオーディオでなく、完全なファイルフォマットで送信できる。
【０１００】
ストリーミングオーディオに加えて、音楽サーバーソフトウエア１１０は音楽サーバー１００にインターネットを介して音楽データベース１１２から装置１２に放送されているストリーミング音楽を記載しているプログラムガイドを送信させるように動作可能である。これらのプログラムガイドは、歌の名前、関連アーチスト、歌を含むＣＤの名前、および歌の長さに関する情報を含んでいる、音楽サーバーソフトウエア１１０により放送されている全ての歌のリストを含む。プログラムガイドはさらに音楽サーバーソフトウエア１１０がインターネットを介してある歌を放送する時期に関する情報を含み、歌が放送される日時を含んでいる。例えば、音楽プログラムガイドは特定の日に続く週間に放送される全ての歌に関する情報を含んでいる。
【０１０１】
音楽サーバーソフトウエア１１０は音楽サーバー１００にストリーミングオーディオと関連してインターネットを介してプログラムガイドをＴＶプログラムガイドデータベース１２０から装置１２に送信させるように動作可能である。これらのＴＶプログラムガイドはケーブル、衛星、およびローカルテレビ局でのプログラミングに関する詳細な情報を含み、および推薦、完全な記述、および解説を含んでいる。
【０１０２】
音楽サーバーソフトウエア１１０は音楽サーバー１００に音楽利用データベース１１６内のインターネットを介して放送される音楽に関する詳細情報を蓄積させるように動作可能である。詳細情報は変更できるが、一般的に、歌が音楽サーバー１００から装置１２にダウンロードされる回数、歌が装置１２からコンパクトディスク（ＣＤ）にコピーされる回数、および歌が装置１２からリモート制御装置１４にコピーされる回数を含む。詳細情報はまた歌がダウンロードされる場所を特定する情報を含み、歌がダウンロードされる日時、および歌を受信する装置１２の独自の認識番号を含んでいる。
【０１０３】
音楽サーバーソフトウエア１１０が更に音楽サーバー１００に音楽データベース１１２に蓄積された音楽を認可装置１２に送信させるように動作可能である。ソフトウエア１１０は音楽放送を受信するために認可される装置１２にストリーミングオーディオを送信することによりこの機能を達成する。音楽が音楽放送を受信するために認可された装置１２のみに放送されること、即ち、装置１２の所有者が要求された受信料を支払ったことを確認するため、音楽サーバーソフトウエア１１０は認可装置データベース１１４からの全ての認可装置１２のリストを獲得し、このリストを使用して、ストリーミングオーディオをこれらの装置１２に放送する。
【０１０４】
音楽サーバーソフトウエア１１０は音楽サーバー１００が非認可装置および、パソコンのような、他の装置が音楽サーバー１００上の音楽をアクセスするのを防止するように動作する。もし認可装置以外の装置が音楽サーバー１００をアクセスすると、音楽サーバーソフトウエア１１０は装置からの認識情報を、即ち、独自の認識番号を要求する。もし装置が関連する装置に関連する認識情報を提供できなければ、音楽サーバーソフトウエア１１０は装置が音楽サーバー１００および音楽データベース１１２にアクセスするのを拒否する。
【０１０５】
音楽サーバーソフトウエア１１０は２つの異なるモードで動作可能である。自動放送音楽モードと称される第１モードにおいて、音楽サーバーソフトウエア１１０はインターネット上で音楽を装置１２に自動的に放送する。要求放送モードと称される第２モードにおいて、音楽サーバーソフトウエア１１０は放送を受信するために要求された装置１２にのみ音楽を放送する。このモードにおいて、音楽サーバーソフトウエア１１０は要求装置１２から放送要求を受信する。放送要求は要求装置１２、即ち、装置の独自の認識番号を特定する情報を含み、音楽サーバーソフトウエア１１０により要求装置１２が放送を受信するために認可されているかどうかを決定するために使用される。音楽サーバーソフトウエア１１０は要求装置１２から受信された独自装置認識情報を認可装置データベース１１４に蓄積された装置認識情報と比較する。もし受信された情報が一致すると、音楽サーバーソフトウエア１１０は要求装置１２の認可を決定し、音楽をその要求装置１２に放送する。もしそうでなければ、音楽サーバーソフトウエア１１０は装置が放送の受信のために認可されないことを示す応答を要求装置に返送する。
【０１０６】
音楽サーバーソフトウエア１１０は音楽サーバー１００が認可装置１２にダウンロードされた全ての歌を装置の独自の認識番号でラベル付けするように動作する。好ましい実施例において、独自の認識番号は、この認識番号が歌を損なうことなく除去されるのを防止するように、歌に貼り付けられる。結果として、もしユーザーが独自の認識番号を除去すると、歌は再生不能となる。この方法でダウンロードされた歌にラベル付けすることにより、音楽サーバー１００は特定の装置１２にダウンロードされた歌を追跡できる。もし特定の装置１２にダウンロードされた歌がインターネット上の他のサーバー又はコンピュータに不正に置かれると、歌に取り付けられたラベルは歌の発信元を特定するために使用できる。ラベリングの目的は要求された実施料を適切なレコーディングアーチストに支払うことなく音楽を不正にコピーしないように促すことである。さらに、もしユーザーが歌を不正にコピーすることを選択すると、このラベリングシステムにより、適切な当局がそのユーザーを特定し、必要な実施料の支払いを強制する。代案として、音楽がダウンロードされるとき又はＣＤに焼き付けられるとき又は記録されるとき、独自の識別子がレコーダー／プレーヤー装置１２によりダウンロードされた歌に埋め込まれる。
【０１０７】
記載されたインターネットに基く音楽配信サービスに特に関するこれらの新規な特徴は２００３年４月４日に出願され、「音楽配信システム」と表題された出願人の同時係属出願第１０／４０７，８１１号の主題であり、この詳細が参照のためここに引用される。
【０１０８】
レコーダー／プレーヤーシステムおよび音楽配信システムの利点
上述のレコーダー／プレーヤー装置１２および音楽サーバーコンピュータシステム１００は顧客が単一の使いやすいロケーションで収集した全ての音楽をコピーし、ほぼどこでも再生するのを可能にする全体システムを提供する。顧客は１つのボタンを押して自身の音楽ＣＤをレコーダー／プレーヤー装置に記録できる。顧客はオリジナルのＣＤをバックアップとして又は他の使用のために格納できる。
【０１０９】
顧客はジュークボックス上の番号を押すのと同様な容易さでどんな歌も呼び出し再生できる。
【０１１０】
顧客は歌を呼び出し且つ“記録”を押すのと同様な単純さで歌のライブラリを使用してＣＤを製作できる。もしＣＤが起源であれば、コンテンツは元のフォーマットで記録でき、又は、コンテンツはｍｐ３フォーマットに変換でき、顧客は顧客の車内で又は他の場所でリスニングの楽しみの時間を提供するほぼ同一のオーディオ品質の１００曲以上の歌を含むＣＤを製作できる。
【０１１１】
レコーダー／プレーヤー装置は従来のジュークボックスの魅力的な外観を持って構成され、同一のカラフルな外観を持つオリジナルなジュークボックスのような単一のコンソールとして現れる。レコーダー／プレーヤー装置は容易に３つのコンポーネント部品、即ち、どのようなオーディオの棚ともマッチする１８インチ幅の美しいプレーヤーと、家のどこにも置ける２つの高忠実度パワースピーカーに分解できる。さらに、顧客は追加のパワースピーカーを購入でき、専用のＭａＧＩＣシステムを使用していくつかの部屋や場所でレコーダー／プレーヤー装置からの音楽を再生できる。
【０１１２】
レコーダー／プレーヤー装置の顧客の使用を単純化するため、魅力的なフロントパネルにフルカラータッチセンシティブリモート制御装置をネストされる。顧客はリモート制御装置を使用でき、その間、リモート制御装置はレコーダー／プレーヤー装置１２にドック（および挿入）されるか、又はそれを取り出し、音楽体験を制御するため家内のどこにでも持ち込める。リモート装置は壁を透過し、レコーダー／プレーヤー装置１２と通信できるコンピュータ品質無線システムを使用している。リモート装置は顧客の歌、ＣＤ、又は他の情報に関する完全な情報を表示できる。リモート装置は完全機能パーソナルデジタルアシスタントの全ての特徴を有する。リモート装置を使用して、顧客はレコーダー／プレーヤー装置１２からの歌をリモート装置に記録でき、リモート装置に高忠実度ステレオヘッドセットを差し込み、且つどこでも音楽を聴くことができる。もし顧客が自分の家で音楽を聴きたければ、レコーディングの面倒も無くリモート装置に直接無線で音楽を送信できる。
【０１１３】
リモート装置は赤外線通信システムであり、真のユニバーサルリモート制御装置として作用するほとんど他のオーディオおよびビデオコンポーネントを制御できる。装置識別子の大規模データベースはレコーダー／プレーヤー装置にすでに含まれ、他のリモート装置から容易に知ることができる。リモート装置は各々が別々に蓄積された異なるコンポーネントを有する異なる部屋用のリモート装置として使用できる。マクロ命令がリモート装置内にプログラムできる。
【０１１４】
顧客の全体リモートセットアップは、万一リモート装置がその記憶を抄出した場合容易に呼び戻すため、リモート装置およびレコーダー／プレーヤー装置１２に同時に蓄積される。結局、最も印象的には、リモート制御装置はコンピュータを介してプログラムでき、顧客は専用レコーダー／プレーヤー装置１２の１つを有する他のユーザーとグラフィックスとリモート制御機能を交換できる。
【０１１５】
顧客はリモート制御とレコーダー／プレーヤー装置１２が、リモート制御装置に内蔵された無線システムを使用する赤外線レピーターと同様に、安価なＸ−１０リモート制御システムで家庭での照明、電気製品および他の装置を制御するのを可能にする完全ホーム制御オプションを購入できる。
【０１１６】
更新に直接且つ瞬時にアクセスするため且つレコーダー／プレーヤー装置１２にサービスを提供するため、顧客はリモート制御装置を家庭のネットワーク又はケーブル／ＤＳＬモデムに接続できる。もし顧客が家のインターネットにアクセスしないと、レコーダー／プレーヤー装置への単一の接続により、顧客は装置アクセス追加無料サービスを有し、インターネットに基く音楽配信サービスと契約できる。
【０１１７】
全ての入手可能なＣＤの完全なデータベースはレコーダー／プレーヤー装置とセットであり、顧客はインターネットを介して自動的にこのデータベースを更新できる。サービスおよび機能の更新も利用できる。いくつかの大手レコード会社と他の独立供給元は顧客が、全く無料で、新生アーチストのためのような歌と他のマテリアルをアクセスするのを可能にしている。
【０１１８】
上述の加入者サービスは顧客が全ての分野の音楽を含むマルチチャンネル（例えば、３０チャンネル）、コマーシャル無しのデジタル品質音楽データベースと契約するのを可能にする。顧客は前もって（１週間のような）相当の期間インターネットを介して放送されている歌のプログラムガイドをアクセスでき、プログラムはレコーダー／プレーヤー装置に蓄積されたライブラリの一部として自身の使用のための歌をコピーするための能力を顧客に加入料の一部として与えることができる。
【０１１９】
加入者サービスは推薦、完全なプログラムの記述、および解説を有するケーブル、衛星、又はローカル局によるローカル放送のテレビガイドを含む。これは顧客の加入が適切である限り自動的に顧客のレコーダー／プレーヤー装置にダウンロードされ、ガイドは自身のリモート制御装置１４を介して顧客に瞬時に入手可能である。顧客は追加のリモート制御装置を入手でき、複数のリモート制御装置は同時に動作可能である。
【０１２０】
結果として、上述のシステムは顧客が記録された音楽に他に例を見ないアクセスを可能にし、かつ、使用することを可能にする。
【０１２１】
このように、新規で有益な組合せＣＤレコーダーおよびプレーヤーシステムの本発明の特有の実施例が説明されたが、このような言及は本発明の範囲の限定として解釈されることを意図しておらず、特許請求の範囲に記載されるように解釈すべきである。
【図面の簡単な説明】
【０１２２】
【図１】図１は本発明の組合せレコーダーおよびプレーヤーシステムの一実施例を示すブロック図である。
【図２】図２は図１の組合せレコーダーおよびプレーヤー装置の一実施例を示すブロック図である。
【図３】図３は図１に示されるリモート制御装置の一実施例を示すブロック図である。
【図４】図４は図２に示されるレコーダー／プレーヤーＣＰＵシステムの一実施例を示すブロック図である。
【図５】図５は図３に示されるリモート制御ＣＰＵシステムの一実施例を示すブロック図である。
【図６】図６はインターネットを介して複数のレコーダー／プレーヤー装置と通信する音楽サーバーコンピュータシステムを示すブロック図である。
【図７】図７は音楽サーバーコンピュータシステムのブロック図である。
【図８】図８は音楽サーバーメモリのブロック図である。
【図９】図９は本発明のレコーダー／プレーヤー装置の一実施例を示すブロック図である。
【図１０】図１０は本発明のリモート制御装置の一実施例により発生するスクリーンショットである。
【図１１】図１１は本発明のリモート制御装置の一実施例により発生するスクリーンショットである。
【図１２】図１２は本発明のリモート制御装置の一実施例により発生するスクリーンショットである。
【符号の説明】
【０１２３】
１２    組合せレコーダーおよびプレーヤー装置
１４    リモート制御装置
１８    レコーダー／プレーヤーＣＰＵ装置
２０    レコーダー／プレーヤー通信システム
２２    コンパクトディスクドライブ
２４    レコーダー／プレーヤーメモリ
２６    レコーダー／プレーヤースピーカーシステム
２８    コピー要求入力機構
３０    レコーダー／プレーヤーインターネット通信システム
３２    リモート制御ドッキングシステム
３４    レコーダー／プレーヤーソフトウエア
３８    リモート制御ＣＰＵシステム
４０    リモート制御通信システム
４２    リモート制御メモリ
４４    リモート制御スピーカーシステム
４６    入出力装置
４７    制御インターネット通信システム
４８    赤外線システム
５０    Ｘ−１０制御システム
５２    リモート制御ソフトウエア
５４    中央処理装置
５８    マザーボード
６４    ＰＣ電源
６６    オペレーティングシステム
【図１】
2006526248.tif 000003
【図２】
2006526248.tif 000004
【図３】
2006526248.tif 000005
【図４】
2006526248.tif 000006
【図５】
2006526248.tif 000007
【図６】
2006526248.tif 000008
【図７】
2006526248.tif 000009
【図８】
2006526248.tif 000010
【図９】
2006526248.tif 000011
【図１０】
2006526248.tif 000012
【図１１】
2006526248.tif 000013
【図１２】
2006526248.tif 000014
【国際調査報告】
2006526248.tif 000015
2006526248.tif 000016
2006526248.tif 000017
2006526248.tif 000018